(57)【要約】      （修正有）【課題】大型、過重な機器は、少人数による運搬、移動を容易にするために、機器にキャスターを取り付けた状態で梱包外装を行い、キャスターを利用するための開梱範囲、規模を最低限とし、開梱作業の簡単さ、開梱による廃材を最低限とするなど、キャスター付き機器のキャスター利用の可能性を最大限活かす梱包外装構造を提供する。【解決手段】機器３を梱包外装１に納めた状態において梱包外装１の底部にキャスターの回転輪部４を外に突出させるための開口を備え、外に突出したキャスターの回転輪部４を近傍の対象物に接触させないために梱包外装１の底部の内面、外面に所定の厚さのダンパー材２を配置するとともに、ダンパー材２を梱包外装１に固定する固定部材を備える。【選択図】図１
0003228776.tif 000002
【実用新案登録請求の範囲】
【請求項１】
運搬、移動を考慮して底面にキャスターを備える大型、過重な機器を、キャスターを取り付けた状態で梱包する梱包外装構造に関して、機器を梱包外装の中に納めた状態において梱包外装の底部にキャスターの回転輪部を梱包外装の外に突出させるための開口を備え、外に突出したキャスターの回転輪部を近傍の対象物に接触させないために所定の厚さを有するダンパー材を梱包外装の底部外面に配置するとともに、ダンパー材を梱包外装に固定する固定部材を備えた、キャスター付き機器の梱包外装構造。
【請求項２】
ダンパー材を梱包外装の底部内面と外面に、それぞれを所定の厚さに配分して配置する、請求項１に記載する、キャスター付き機器の梱包外装構造。
【考案の詳細な説明】
【技術分野】
【０００１】大型、過重な機器は、少人数による運搬、移動を容易にするために底面にキャスターを装着する場合が多いが、一般的に梱包された状態でキャスターは梱包外装の内部に収納されそのままでは利用することはできず、開梱するまでは運搬にキャスターを利用することは出来ない。
【背景技術】
【０００２】キャスターを備えた大型、過重な機器では、たとえば荷降場所で梱包外装を全て開梱できる場合には以降キャスターを利用した運搬が可能となるが、荷降場所における開梱は梱包外装部材の処理や、場所によっては開梱できるスペースが少ないなどの理由により困難な場合が多くキャスター利用の効果は得難い。
【考案が解決しようとする課題】
【０００３】大型、過重な機器は、少人数による運搬、移動を容易にするために、機器にキャスターを取り付けた状態で梱包外装を行い、キャスターを利用するための開梱範囲、規模を最低限とし、開梱作業の簡単さ、開梱による廃材を最低限とするなど、キャスター付き機器のキャスター利用の可能性を最大限活かす。
【課題を解決するための手段】
【０００４】機器を梱包外装に納めた状態において梱包外装の底部にキャスターの回転輪部を外に突出させるための開口を備え、外に突出したキャスターの回転輪部を近傍の対象物に接触させないために梱包外装の底部の内面、外面に所定の厚さのダンパー材を配置するとともに、ダンパー材を梱包外装に固定する固定部材を備える。
【考案の効果】
【０００５】機器のキャスターを取り付けた状態で梱包外装を行い、キャスターを利用可能とするための開梱規模を最低限とし、開梱作業の簡単さ、並びに開梱による廃材を最低限とすることにより、開梱場所、作業者の人数、作業者の能力などに制約されず、任意の場所で、少ない作業者でキャスター利用のための開梱がされ、発生する廃材も少ないため、キャスター利用による運搬の利便を最大限に発揮できる。
【考案を実施するための形態】
【０００６】図１に本考案に基づくキャスター付き機器の梱包外装構造で機器を梱包した状態の概念図を示す。１は外装箱、２はダンパー材、３はキャスター付き機器、４はキャスターの回転輪を示す。機器を外装梱包した状態ではキャスターの回転輪４は梱包箱の底の開口から顔を出しているが、回転輪よりダンパー材２の方が厚いため、梱包状態では回転輪は浮いた状態であり置場の床などに触れることは無く、梱包外装した機器が回転輪の回転で移動することは無い。図２は、機器を外装梱包した状態でキャスターの回転輪４を梱包箱の底から顔をださせるために、外装箱１の底部にキャスターの回転輪のサイズより大きな開口５が設けられ、機器を梱包するとこの開口５からキャスターの回転輪４が外装箱の底部から外に突出している。
【０００７】回転輪を床などから浮かせるためのダンパー材は固定部材により外装箱に固定され、キャスターを利用する場合には固定部材を取り除く。このため、外装箱１とダンパー材２は別体で形成し、例えば図３に示す様にベルトなどの固定部材６で固定して、外面配置の固定部材を外す、切断するなどの操作によって外装箱１とダンパー材２を切り離して、ダンパー材を取り除くことによりキャスターの回転を利用することが可能になる。このために発生する廃材は外面配置のダンパー材と固定部材に限定され、ナイフなどによる切断可能な固定部材を利用することにより、キャスター利用のための開梱作業は極めて容易である。
【０００８】図４はダンパー材を外装箱１の底面の内面と外面に分割配置した状態を示し、外面配置が２、内面配置が７であり、内面と外面の厚さを加算した距離を「（キャスターの高さ）＋α」に設定する。αは梱包外装した機器を置く床などからキャスターを浮かすための距離であり、床から所要距離浮かせて床との接触を避けるとともに、内面ダンパー材の高さにより外装箱の底から突出するキャスター回転輪の高さを設定できる。以上説明するように、機器のキャスターを取り付けた状態で梱包外装を行い、キャスターを利用可能とするための開梱範囲、規模を最低限とし、開梱作業の簡単さ、並びに廃材を最少限とすることにより、開梱場所、作業者の人数、作業者の能力などに制約されず、任意の場所で、少ない作業者で、開梱により発生する廃材も少ないため、キャスターによる運搬の利便を最大限に発揮できる。
【実施例】
【０００９】幅・奥行・高：１０００・７００・１０００ｍｍ、キャスター高さ６０ｍｍの電子機器に本考案の外装梱包構造を適用し、強化段ボールをダンパー材として利用して、内面配置を３０ｍｍ、外面配置を４０ｍｍの厚さとしてキャスターを床から１０ｍｍ程度浮かした。ダンパー材は固定幅３０ｍｍのＰＰベルトを使用して、良好な結果を得ることが出来た。ＰＰベルトをナイフでカットして梱包外装を若干傾けるだけで外面配置のダンパー材は取り除くことが出来る。ダンパー材の外装への固定には、接着強度が満たせばベルトを使用せずに接着テープのような接着材でも良い。またダンパー材は浮袋状のエア構造でも良く、ダンパー材や固定材のサイズ、材質、構造などは多様であり、図６に示すごとく梱包外装の底面相当のサイズ８で機器のキャスター位置に角穴５を設けた形状でも良い。さらに、ダンパー材に関しては外面配置の厚さを０ｍｍとして内面配置のみで構成することも可能であるなど、本考案の趣旨を逸脱しない範囲であれば種々変形実施が可能である。
【図面の簡単な説明】
【００１０】
【図１】本考案により機器を外装梱包した場合の構成概念図を示す
【図２】外装梱包箱の構成概念図を示す
【図３】ダンパーを固定ベルトで固定する構成概念図を示す
【図４】ダンパーを外装梱包箱の内外面に配分配置した構成概念図を示す
【図５】ダンパーの構成概念図を示す
【図６】ダンパーの構成概念図を示す
【符号の説明】１  梱包外装
２  外面配置ダンパー
３  機器
４  キャスター回転輪
５  キャスター穴          ７  内面配置ダンパー
６  ダンパー固定ベルト    ８  矩形ダンパー
【図１】
0003228776.tif 000003
【図２】
0003228776.tif 000004
【図３】
0003228776.tif 000005
【図４】
0003228776.tif 000006
【図５】
0003228776.tif 000007
【図６】
0003228776.tif 000008